(57)【要約】【課題】心臓ＲＦアブレーションを行うこと。【解決手段】身体組織をアブレーションする方法は、アブレーションシグナルを発生させることと、組織に接触しているアブレーションプローブにアブレーションシグナルを供給することと、を含む。灌注液は、アブレーションシグナルが組織に適用されている間、組織の近傍に灌注液を施用するために、アブレーションプローブに送り込まれる。シグナルは、アブレーションプローブから受信され、このアブレーションプローブが、アブレーションプローブによって組織にかかる推定瞬間接触力を示す。灌注液の流速は、推定瞬間接触力に応答して適応される。【選択図】図１
2020182845.tif 000002
【特許請求の範囲】
【請求項１】
身体組織をアブレーションするシステムであって、
アブレーションシグナルを発生させて、組織に接触しているアブレーションプローブに前記アブレーションシグナルを供給するよう構成されている発生器と、
前記アブレーションシグナルが前記組織に適用されている間に、前記組織の近傍に灌注液を施用するために、前記アブレーションプローブに前記灌注液を送り込むよう構成されている、灌注モジュールと、
プロセッサであって、
前記アブレーションプローブから、前記アブレーションプローブによって前記組織にかけられた推定瞬間接触力を示すシグナルを受信するように構成されており、かつ
前記灌注モジュールを制御して、前記推定瞬間接触力に応答して前記灌注液の流速を適応させるように構成されている、プロセッサと、
を含む、システム。
【請求項２】
前記プロセッサが、前記組織の温度をモニタリングし、前記灌注モジュールを制御して、モニタリングされた前記温度に応答して前記流速を適応させるよう、更に構成されている、請求項１に記載のシステム。
【請求項３】
前記プロセッサが、前記灌注モジュールを制御して、前記流速を適応させて、最短のアブレーション期間で、最大電力レベルの前記アブレーションシグナルを維持するよう構成されている、請求項１に記載のシステム。
【請求項４】
事前定義された定数として前記最大電力レベル及び前記最短のアブレーション期間の値を記憶するように構成されているメモリを備える、請求項３に記載のシステム。
【請求項５】
前記プロセッサが、前記灌注モジュールを制御して、前記灌注モジュールに前記瞬間接触力の個々の推定増加量又は低下量に応答して前記流速を増大又は低下させるよう命令することにより、前記推定瞬間接触力に応答して前記流速を適応させるよう構成されている、請求項１に記載のシステム。
【請求項６】
前記プロセッサは、アブレーション指数を連続して評価し、前記アブレーション指数がアブレーション指数閾値に到達すると、前記アブレーションシグナルを停止させるよう構成されている、請求項１に記載のシステム。
【請求項７】
前記アブレーション指数が、前記アブレーションシグナルの電力レベルに依存する、請求項６に記載のシステム。
【請求項８】
前記アブレーション指数が、前記瞬間接触力に依存する、請求項６に記載のシステム。
【発明の詳細な説明】
【技術分野】
【０００１】
本発明は、概して、高周波（ＲＦ）アブレーションに関し、特に、心臓ＲＦアブレーションに関する。
【背景技術】
【０００２】
ＲＦアブレーションを制御するための技術は、これまでに特許文献において提案された。例えば、米国特許出願公開第２０１６／０２１３２８２号は、力−時間積分を利用して、カテーテルベースのアブレーションシステムにおいて病変部サイズを実時間で推定する方法及び装置を記載している。この装置は、接触アブレーションプローブによって標的組織にかけられた力を測定し、接触アブレーションプローブの通電時間にわたる力を積分する。力−時間積分を計算し、利用して、病変部サイズ（深さ、体積及び／又は面積）の推定を実時間で提供することができる。力−時間積分はまた、標的組織に実時間で送達される電力変化の原因も説明し、病変部サイズの推定の一層の改善をもたらすことができる。一実施形態では、力の計量は、スチームポップを防止するためにプローブに送達される所望の電力レベルを設定するためのフィードバックとして使用することができる。更に他の実施形態では、制御システムは、通電を低下若しくは無効にすることに加えて、又はこれらの代わりに、灌注を増加させるように適応され得る。
【０００３】
別の例として、米国特許第９，９６２，２１７号には、心臓カテーテルが、アブレーション部位に係合すると遠位先端部に機械的力を感知するための圧力検出器を内蔵している、組織アブレーションシステム及び方法を記載している。コントローラは、圧力検出器に応答して、部位に対する接触圧とアブレータの電力出力とエネルギー印加時間との間の関係にしたがって、アブレーション体積を計算する。このシステムは、組織をアブレーションするために、組織に、ある印加時間の間及びある電力レベルで、特定の投入量のエネルギーを印加するものであり、この場合、この投入量の印加時間及び電力レベルのうちの少なくとも１つは、機械的力に依存する。モニターは、算出されたアブレーション体積の画像表示を変化させることにより、アブレーションの進行を動的に表示することができる。
【発明の概要】
【課題を解決するための手段】
【０００４】
本発明の実施形態は、身体組織をアブレーションする方法であって、アブレーションシグナルを発生させることと、組織に接触しているアブレーションプローブにこのアブレーションシグナルを供給することと、を含む、方法を提供する。灌注液は、アブレーションシグナルが組織に適用されている間に、組織の近傍に灌注液を施用するために、アブレーションプローブに送り込まれる。シグナルは、アブレーションプローブから受信され、このアブレーションプローブが、アブレーションプローブによって組織にかけられた推定瞬間接触力を示す。灌注液の流速は、推定瞬間接触力に応答して適応される。
【０００５】
一部の実施形態では、本方法は、組織の温度をモニタリングすることと、モニタリングされた温度に応答して灌注の流速を適応させることと、を更に含む。
【０００６】
一部の実施形態では、流速を適応させることは、最短のアブレーション期間で、最大電力レベルのアブレーションシグナルを維持しながら、流速を増大又は低下させることを含む。
【０００７】
一実施形態では、アブレーション期間及び最大電力レベルは、所定の定数である。
【０００８】
別の実施形態では、本方法は、アブレーションシグナルを適用しながら、アブレーション指数を連続して評価することと、アブレーション指数がアブレーション指数閾値に到達すると、アブレーションシグナルを停止することと、を更に含む。
【０００９】
一部の実施形態では、アブレーション指数は、アブレーションシグナルの電力レベルに依存する。
【００１０】
一部の実施形態では、アブレーション指数は、瞬間接触力に依存する。
【００１１】
実施形態では、推定瞬間接触力に応答して流速を適応させることは、瞬間接触力の個々の推定増加量又は低下量に応答して流速を増大又は低下させることを含む。
【００１２】
本発明の実施形態によれば、身体組織をアブレーションするためのシステムであって、発生器、灌注モジュール及びプロセッサを含むシステムが更に提供される。発生器は、アブレーションシグナルを発生させて、組織に接触しているアブレーションプローブにこのアブレーションシグナルを供給するよう構成されている。灌注モジュールは、アブレーションシグナルが組織に適用されている間に、組織の近傍に灌注液を施用するためにアブレーションプローブに灌注液を送り込むよう構成されている。プロセッサは、アブレーションプローブから、アブレーションプローブによって組織にかけられた推定瞬間接触力を示すシグナルを受信し、灌注モジュールを制御して、推定瞬間接触力に応答して灌注液の流速を適応させるよう構成されている。
【００１３】
本発明は、以下の「発明を実施するための形態」を図面と併せて考慮することで、より完全に理解されよう。
【図面の簡単な説明】
【００１４】
【図１】本発明の実施形態による、心臓の高周波（ＲＦ）アブレーション治療用システムの模式的な描写図である。
【図２】本発明の実施形態による、図１のＲＦアブレーションシステムの操作において実施されるアルゴリズムのステップを模式的に記載するフローチャートである。
【発明を実施するための形態】
【００１５】
概論
所与のサイズの病変部を生成することに照準を合わせたアブレーションプロセスを制御するため、高周波（ＲＦ）アブレーションシステムなどの心臓アブレーションシステムは、アブレーションされた組織の温度が、最大値を超えないことを確保しながら、灌注速度、アブレーション（例えば、ＲＦ）電力投入、及びアブレーション期間を変えることができる。それにも関わらず、生じた病変部サイズは、アブレーション中に、アブレーション電極が組織に接触するのに伴う機械的力の変化により、さまざまになり得る。したがって、接触力の変動は、相殺されない場合、制御されない及び／又は不正確なＲＦアブレーションの結果を引き起こすおそれがある。
【００１６】
本明細書のこれ以降に記載されている本発明の実施形態は、ＲＦアブレーションのために、改善された方法及びシステムを提供する。開示技法における根本的前提は、事前設定した時間内における、特定の病変部サイズに対するＲＦアブレーション中の唯一の変数が、組織がアブレーションされている際の瞬間（すなわち、瞬時）接触力、灌注流速及び組織温度であるということである。組織温度がほぼ一定であると仮定すると、一部の実施形態は、送り込まれた電力を実質的に一定に保ち、灌注流速を適応することによって、瞬間接触力の測定される変化を相殺する。
【００１７】
通常、瞬間接触力が高まった状態でアブレーションプロセスを継続するために、アブレーション用のアルゴリズムを実行するプロセッサは、許容可能な範囲内で、灌注流速を増大するよう命令する。瞬間接触力が低下した場合、アブレーション用のアルゴリズムを実行するプロセッサは、アブレーションプロセスの継続状態を維持するため、灌注流速の低下を命令する。
【００１８】
他の実施形態では、モニタリングされた温度変化もまた、灌注流速を適応することにより相殺される。通常、プロセッサは、組織の温度をモニタリングし、モニタリングされた温度に応答して、（一部の実施形態では、モニタリングされた温度の上昇又は低下のそれぞれに応答して）灌注流速を適応させる（例えば、増大又は低下）よう命令する。
【００１９】
一部の実施形態では、本開示方法は、（ａ）生体体内にカテーテルなどのプローブを挿入するステップ、（ｂ）プローブを身体内の組織に接触させるステップ、（ｃ）電力出力レベル及びアブレーション時間を事前設定するステップ、（ｄ）灌注の許容可能な流速範囲を事前設定するステップ、（ｅ）瞬間接触力を測定するステップ、（ｆ）アブレーションシグナルを発生させて、組織に接触しているアブレーションプローブにアブレーションシグナルを供給する（すなわち、プローブの１つ以上のアブレーション電極により、事前設定量の電力を組織に蓄積させる）ステップ、（ｇ）アブレーションシグナルが組織に適用されている間に、組織の近傍に灌注液を施用するために、アブレーションプローブに灌注液を送り込むステップ、（ｈ）アブレーションプローブから、アブレーションプローブによって組織にかけられた推定瞬間接触力を示すシグナルを受信するステップ、及び（ｊ）推定瞬間接触力に応答して、灌注液の流速を適応させるステップを含む。
【００２０】
一部の実施形態では、身体組織をアブレーションするシステムであって、（ｉ）患者の身体内の組織中の特定の病変部を生成するために必要な目標量のアブレーションエネルギーの値を記憶するよう構成されており、かつ最大電力レベル及び最短のアブレーション期間の個々の値を更に記憶するよう構成されているメモリ、（ｉｉ）アブレーションプローブに灌注液を送り込むように構成されている灌注モジュールであって、アブレーションプローブが、（ｉｉａ）組織に接触させるように、（ｉｉｂ）組織の近傍に灌注液を施用するように構成されている灌注モジュールを含むシステムが提供される。アブレーションプローブは、プローブによって組織にかけられた瞬間接触力を検知するための手段を更に含む。
【００２１】
提供されるシステムは、アブレーションシグナルを発生させて、アブレーションプローブにアブレーションシグナルを供給するよう構成されている発生器、及び（ａ）アブレーションプローブから、アブレーションプローブによって組織にかけられた推定瞬間接触力を示すシグナルを受信するように構成されており、かつ（ｂ）灌注モジュールを制御して、推定瞬間接触力に応答して灌注液の流速を適応させるように構成されているプロセッサを更に含む。
【００２２】
灌注の流速に応答して変化することにより、電極が組織にかける瞬間接触力の変化を相殺する、開示されているＲＦアブレーション技法により、最短のアブレーション期間、最大ＲＦ電力レベルを維持することが可能になり得、そうすることにより、カテーテルに基づくＲＦアブレーション手技の臨床的結果を改善することができる。
【００２３】
システムの説明
図１は、本発明の実施形態による、心臓高周波（ＲＦ）アブレーション療法のためのシステム１２の概略描写図である。通常、システム２０のメモリ４５は、図２に記載のプロトコルなどの、異なる臨床的シナリオのための多数のアブレーションプロトコルを記憶する。
【００２４】
医師２６は、血管を通して対象２２の心室２４内にカテーテル２８を挿入し、カテーテルの遠位端部３２が治療される領域内の心内膜に接触するように、カテーテルを操作する。挿入画２５に見られるカテーテル２８の先端電極５１は、１つ以上の接触力センサ５０を備える。
【００２５】
アブレーション部位に遠位端部３２を位置決めし、先端が心内膜に確実に接触するようにした後、操作者２６は、制御コンソール４２内のＲＦエネルギー発生器４４を作動させて、ケーブル３８を介して遠位端部３２にＲＦエネルギーを供給する。その間に、制御可能な灌注ポンプ４８を備える灌注モジュール５５は、管４０及びカテーテル２８内の内腔を介して、標準生理食塩水などの冷却流体を、遠位端部に供給する。通常、アブレーション前及びアブレーション中の両方において、ディスプレイ４６は、以下の表Ｉに列挙されるものなどのアブレーションパラメータの値を、医師２６に表示する。
【００２６】
システム１２を操作するため、プロセッサ４１は、以下に更に記載されている灌注モジュール５５を制御する。特に、プロセッサ４１は、以下で更に説明するとおり、プロセッサ４１による開示されるステップの実行を可能にする、図２に含まれている、本明細書において開示されている専用アルゴリズムを実行する。
【００２７】
ＲＦエネルギー発生器及び灌注ポンプの操作は、アブレーション中に適切な体積の灌注を与えるために調整されてもよく、これにより、灌注液で心臓に過剰に負荷を与えることなく、カテーテルの先端及び組織を冷却する。接触力センサ５０はそれぞれ、灌注流速の制御に使用するためのコンソール４２にフィードバックを提供する。
【００２８】
実施形態では、アブレーション中に、カテーテル２８の先端電極５１に位置する１つ以上の温度センサ５２は、組織温度を感知して、解析及び使用のために温度表示シグナルをプロセッサ４１に送信することができる。
【００２９】
プロセッサ４１は、メモリ４５内に記憶されたソフトウェアを用いてシステム２０を操作する。ソフトウェアは、例えばネットワーク上で、プロセッサ４１に電子形態でダウンロードすることができるか、又は代替として、又は更には、磁気メモリ、光学メモリ又は電子メモリなどの、非一時的な有形媒体上で提供及び／又は記憶されてもよい。特に、プロセッサ４１は、以下で更に説明するとおり、プロセッサ４１により開示されるステップの実行を可能にする、図２に含まれている、本明細書において開示されている専用アルゴリズムを実行する。
【００３０】
図示されている実施形態は、具体的には、心臓組織のアブレーション用先端アブレーション装置の使用に関するが、本明細書に記載されている方法は、代替的に、各電極による灌注操作がプロセッサ４１によって独立して制御される場合に、複数のアブレーション電極を備えるアブレーション装置に適用することができる。代替的な実施形態では、プロセッサ４１は、すべての電極によって共有される灌注流れを制御する。すべての電極の間の最大瞬間接触力に関するフィードバックを使用して、プロセッサは、共通した灌注の流速を適応させる。
【００３１】
接触力の変化に応答する高周波（ＲＦ）アブレーションにおける灌注速度の適応
図２は、本発明の実施形態による、図１のＲＦアブレーションシステム２０の動作において実施されるアルゴリズムのステップを模式的に示すフローチャートである。このプロセスは、パラメータ範囲の事前設定ステップ７０で開始され、この間に、医師２６は、アブレーション電力及び時間（すなわち、期間）を事前設定する。このようなステップには、異なる臨床的シナリオに合わせて多くのプロトコルを作成することが含まれてもよく、このようなプロトコルは、例えば、システム２０のメモリ４５に保存される。
【００３２】
一実施形態では、それらの値／範囲は、表Ｉに示すように設定される：
【００３３】
【表１】
2020182845.tif 000003
【００３４】
パラメータ範囲の設定ステップ７０は、医師２６がアブレーションを行う前に実行される。特に、アブレーション時間（すなわち、アブレーション期間）及び最大電力レベルは、所定の定数である。しかし、電力、時間及び流速の値／範囲は、例えば、病変部の深さ目標に応じてさまざまに設定されてもよい。低度の深さ（２ｍｍ未満）、中度の深さ（２ｍｍ〜３．５ｍｍ）、高度の深さ（３．５ｍｍ〜５．０ｍｍ）、及び更に高度の深さ（５．０ｍｍ超）に関する表は、本特許出願の譲受人に譲渡されており、その開示が参照により本明細書に組み込まれている、「Ｅｎｅｒｇｙ−Ｇｕｉｄｅｄ  Ｒａｄｉｏｆｒｅｑｕｅｎｃｙ（ＲＦ）Ａｂｌａｔｉｏｎ」と題する、２０１９年２月２８日出願の米国特許出願第１６／２８８，８３８号に記載されている。
【００３５】
一部の実施形態では、アブレーション期間であるＴは、ある期間にわたる電力レベル×接触力の積分である、最大限許容可能なアブレーション指数（ＡＩ）、すなわちアブレーション指数閾値（ＡＩＴ）を提供し、この積分を解き、所与のＡＩＴ入力値の関数としての期間を抽出することにより、アブレーショ中に判定される。プロセッサは、アブレーションプロセスの間にＡＩを連続的に評価して、ＡＩがＡＩＴに到達すると、アブレーションを停止するよう構成されている。
【００３６】
ＡＩＴの式に関する一例は、本特許出願の譲受人に譲渡されており、その開示が参照により本明細書に組み込まれている、米国特許出願公開第２０１７／００１４１８１号に記載されている。ＡＩＴ１と表される、この例のアブレーション指数閾値（ＡＩＴ）は、式
【００３７】
【数１】
2020182845.tif 000004
を有しており、ここでは、この積分は、期間Ｔにわたる、接触力ＣＦの第１の非単一指数αと電力値Ｐの第２の非単一指数βとの積であり、ｋは比例定数であり、γは第３の非単一指数である。α、β、γ及びｋの値は、上述の米国特許出願公開第２０１７／００１４１８１号に開示されている方法により決定される。代替的な実施形態では、プロセッサは、ＡＩＴ２と表示されるＡＩＴの第２の式を使用して、アブレーション期間を判定し、この場合、第２のＡＩＴは、
【００３８】
【数２】
2020182845.tif 000005
により与えられる。
【００３９】
アブレーションセッションの開始時に、カテーテル導入ステップ７２において、医師２６は、システム２０に内蔵されたカテーテル位置追跡システムを使用して、心臓２４内の所望の位置にカテーテル２８を挿入する。
【００４０】
次に、医師２６は、電極−組織接触ステップ７４において、電極先端５１と心臓内組織との間の物理的接触を行う。プロセッサ４１は、接触力判定ステップ７６において、カテーテル２８上にあるセンサからの接触力表示シグナルを受信して、瞬間接触力、及び／又は接触力が増大又は低下したかどうかを判定する。
【００４１】
灌注ステップ７８において、プロセッサ４１は、灌注モジュール５５を制御し、判定された瞬間機械力の増大又は低下のそれぞれに応答して、灌注流速を増大又は低下させる。例えば、瞬間接触力が増大した場合、プロセッサ４１は、灌注モジュール５５に、電極と組織との間の一層良好な物理的接触のために、灌注による熱除去の速度が、蓄積した熱増加に一致するよう、灌注流れを瞬時に増加させるように命令する。一方、熱がそれほど蓄積しないことを意味する、瞬間接触力が低下（熱がそれほど蓄積しないことを意味する）し、組織が過度に冷却され得る場合、プロセッサ４１は、灌注流れを瞬時に低下させるよう灌注モジュール５５に命令する。
【００４２】
ＲＦ送達ステップ８０では、医師２６は、電極５１のアブレーションを行うため、ステップ７０において選択したパラメータ値を用いて、システム２０を操作する。システム２０のディスプレイ４６は、当該技術分野で公知の方法によって、医師２６に、電極へのＲＦ送達の進行を表示するよう構成され得る。
【００４３】
ＲＦ送達手技の間、プロセッサ４１は、一巡してステップ７８に戻すことにより、Ｎ回の繰り返し測定を使用して、瞬間接触力をモニタリングする。Ｎ回の繰り返し数は、表Ｉ中のアブレーション時間と接触力サンプリング速度の積により計算される。この場合、ｙの例は、Ｎ＝２０である。プロセッサ４１は、ステップ７８を繰り返すことにより、瞬間接触力に応じて、灌注流速を修正することを、灌注モジュール５５に応答可能に命令する。
【００４４】
各繰り返し時に、プロセッサ４１は、アブレーションエネルギーモニタリングステップ８２において、事前設定量のアブレーションエネルギーが送達されたかどうかを確認する。アブレーション終了ステップ８４では、プロセッサ８４は、ステップ７０において事前設定された電力及び時間により生じるアブレーションエネルギーに到達した後に、又は表示した時間が経過した後に、アブレーションを終了する。
【００４５】
図２に示されている例となるフローチャートは、単に概念をわかりやすくする目的で選択されている。例として、一層高い速度が使用され得る場合には、接触力のサンプリング速度がもたらされる。本実施形態はまた、一層単純化されたフローチャートを提供するために、本明細書では意図的に本開示から省略されている、組織温度の確認などのアルゴリズムの追加ステップを含む。
【００４６】
本明細書に記述される実施形態は、主に、心臓用途に対処するものであるが、本明細書に記載されている方法及びシステムは、腎臓（例えば、腎臓の脱神経の場合）及び肺などの身体の他の臓器のアブレーションに使用することができる。
【００４７】
したがって、上記に述べた実施形態は、例として引用したものであり、また本発明は、上記に具体的に示し説明したものに限定されないことが理解されよう。むしろ本発明の範囲は、上述のさまざまな特徴の組み合わせ及びその一部の組み合わせの両方、並びに上述の説明を読むことで当業者により想到されるであろう、また従来技術において開示されていないそれらの変形及び修正を含むものである。参照により本特許出願に援用される文献は、これらの援用文献において、いずれかの用語が本明細書において明示的又は暗示的になされた定義と矛盾して定義されている場合には、本明細書における定義のみを考慮するものとする点を除き、本出願の一部とみなすものとする。
【００４８】
〔実施の態様〕
（１）  身体組織をアブレーションする方法であって、
アブレーションシグナルを発生させて、組織に接触しているアブレーションプローブに前記アブレーションシグナルを供給することと、
前記アブレーションシグナルが前記組織に適用されている間に、前記組織の近傍に灌注液を施用するため、前記アブレーションプローブに前記灌注液を送り込むことと、
前記アブレーションプローブから、前記アブレーションプローブによって前記組織にかけられた推定瞬間接触力を示すシグナルを受信することと、
前記推定瞬間接触力に応答して、前記灌注液の流速を適応させることと、
を含む、身体組織をアブレーションする方法。
（２）  前記組織の温度をモニタリングすることと、モニタリングされた前記温度に応答して灌注の前記流速を適応させることと、を含む、実施態様１に記載の方法。
（３）  前記流速を適応させることが、最短のアブレーション期間で、最大電力レベルの前記アブレーションシグナルを維持しながら、前記流速を増大又は低下させることを含む、実施態様１に記載の方法。
（４）  前記アブレーション期間及び前記最大電力レベルが、所定の定数である、実施態様３に記載の方法。
（５）  前記アブレーションシグナルを適用しながら、アブレーション指数を連続して評価することと、前記アブレーション指数がアブレーション指数閾値に到達すると、前記アブレーションシグナルを停止することと、を含む、実施態様３に記載の方法。
【００４９】
（６）  前記アブレーション指数が、前記アブレーションシグナルの電力レベルに依存する、実施態様５に記載の方法。
（７）  前記アブレーション指数が前記瞬間接触力に依存する、実施態様５に記載の方法。
（８）  前記推定瞬間接触力に応答して前記流速を適応させることが、前記瞬間接触力の個々の推定増加量又は低下量に応答して、前記流速を増大又は低下させることを含む、実施態様１に記載の方法。
（９）  身体組織をアブレーションするシステムであって、
アブレーションシグナルを発生させて、組織に接触しているアブレーションプローブに前記アブレーションシグナルを供給するよう構成されている発生器と、
前記アブレーションシグナルが前記組織に適用されている間に、前記組織の近傍に灌注液を施用するために、前記アブレーションプローブに前記灌注液を送り込むよう構成されている、灌注モジュールと、
プロセッサであって、
前記アブレーションプローブから、前記アブレーションプローブによって前記組織にかけられた推定瞬間接触力を示すシグナルを受信するように構成されており、かつ
前記灌注モジュールを制御して、前記推定瞬間接触力に応答して前記灌注液の流速を適応させるように構成されている、プロセッサと、
を含む、システム。
（１０）  前記プロセッサが、前記組織の温度をモニタリングし、前記灌注モジュールを制御して、モニタリングされた前記温度に応答して前記流速を適応させるよう、更に構成されている、実施態様９に記載のシステム。
【００５０】
（１１）  前記プロセッサが、前記灌注モジュールを制御して、前記流速を適応させて、最短のアブレーション期間で、最大電力レベルの前記アブレーションシグナルを維持するよう構成されている、実施態様９に記載のシステム。
（１２）  事前定義された定数として前記最大電力レベル及び前記最短のアブレーション期間の値を記憶するように構成されているメモリを備える、実施態様１１に記載のシステム。
（１３）  前記プロセッサが、前記灌注モジュールを制御して、前記灌注モジュールに前記瞬間接触力の個々の推定増加量又は低下量に応答して前記流速を増大又は低下させるよう命令することにより、前記推定瞬間接触力に応答して前記流速を適応させるよう構成されている、実施態様９に記載のシステム。
（１４）  前記プロセッサは、アブレーション指数を連続して評価し、前記アブレーション指数がアブレーション指数閾値に到達すると、前記アブレーションシグナルを停止させるよう構成されている、実施態様９に記載のシステム。
（１５）  前記アブレーション指数が、前記アブレーションシグナルの電力レベルに依存する、実施態様１４に記載のシステム。
【００５１】
（１６）  前記アブレーション指数が、前記瞬間接触力に依存する、実施態様１４に記載のシステム。
【図１】
2020182845.tif 000006
【図２】
2020182845.tif 000007
【外国語明細書】
2020182845000001.pdf